(57)【要約】【課題】視認性を向上させることが可能な指針式計器を提供する。【解決手段】駆動源３と、表示板５と、駆動源３を通じて表示板５上を軸回り回転する指針４と、を備え、指針４が表示板５の裏面側に位置する第１の指針部４１と、表示板５の表面側に位置する第２の指針部４２と、これら第１，第２の指針部４１，４２を繋ぐ第３の指針部４３とを有する指針式計器において、表示板５に第１の指針部４１（表示層４４）を透視可能な透視部５３を設けた。【選択図】図２
2010127614.tif 000002
【特許請求の範囲】
【請求項１】
駆動源と、表示板と、前記駆動源を通じて前記表示板上を軸回り回転する指針と、を備え、
前記指針が前記表示板の裏面側に位置する第１の指針部と、前記表示板の表面側に位置する第２の指針部と、これら第１，第２の指針部を繋ぐ第３の指針部とを有する指針式計器において、前記表示板に前記第１の指針部を透視可能な透視部を設けたことを特徴とする指針式計器。
【請求項２】
駆動源と、表示板と、前記駆動源を通じて前記表示板上を軸回り回転する指針と、この指針の一部を覆うように配置される被覆部材とを備え、
前記指針が前記表示板の裏面側に位置する第１の指針部と、前記表示板の表面側に位置する第２の指針部と、これら第１，第２の指針部を繋ぐと共に前記被覆部材にて覆われる第３の指針部とを有する指針式計器において、
前記被覆部材に少なくとも前記第３の指針部を透視可能な透視部を設けたことを特徴とする指針式計器。
【請求項３】
前記透視部が前記指標部に対応するように間隔を空けて複数形成されることを特徴とする請求項１記載の指針式計器。
【発明の詳細な説明】
【技術分野】
【０００１】
本発明は、例えば車両に搭載される指針式計器に関するものである。
【背景技術】
【０００２】
この種の指針式計器として、例えば下記特許文献１に記載されているものが知られている。この指針式計器は、例えばステッピングモータからなる駆動源（ムーブメント）と、この駆動源を通じて軸回り回転する指針と、この指針に対応した目盛、数字等の指標部を設けてなる表示板（文字板）とを備え、指針は表示板の裏面側に位置する第１の指針部と、表示板の表面側に位置し指標部を指示する第２の指針部とを有しており、全体が表示板を挟んでコ字状に迂回する構造である。
【０００３】
また指針の前方側には、指針の一部を覆うと共に先端側を露出する被覆部材（目盛リング）が配置されている。
【０００４】
【特許文献１】特開２００８−０１４９３１号公報
【発明の開示】
【発明が解決しようとする課題】
【０００５】
しかしながら、特許文献１のごとき指針式計器は、表示板を挟んでコ字状に迂回する構造ゆえに重量が嵩み、駆動源に対する負荷増や指針動作への悪影響が懸念される。このため、第２の指針部の長さを十分に確保できない場合があり、視認性の点で課題が残されていた。
【０００６】
本発明は、この点に鑑みてなされたもので、視認性を向上させることが可能な指針式計器を提供するものである。
【課題を解決するための手段】
【０００７】
本発明は、前記目的を達成するため、駆動源と、表示板と、前記駆動源を通じて前記表示板上を軸回り回転する指針と、を備え、
前記指針が前記表示板の裏面側に位置する第１の指針部と、前記表示板の表面側に位置する第２の指針部と、これら第１，第２の指針部を繋ぐ第３の指針部とを有する指針式計器において、前記表示板に前記第１の指針部を透視可能な透視部を設けたことを特徴とする。これにより第２の指針部に加えて第１の指針部が視認されるため、視認性を向上させることができる。
【０００８】
また本発明は、前記目的を達成するため、駆動源と、表示板と、前記駆動源を通じて前記表示板上を軸回り回転する指針と、この指針の一部を覆うように配置される被覆部材とを備え、前記指針が前記表示板の裏面側に位置する第１の指針部と、前記表示板の表面側に位置する第２の指針部と、これら第１，第２の指針部を繋ぐと共に前記被覆部材にて覆われる第３の指針部とを有する指針式計器において、前記被覆部材に少なくとも前記第３の指針部を透視可能な透視部を設けたことを特徴とする。これにより第２の指針部に加えて第３の指針部が視認されるため、視認性を向上させることができる。
【０００９】
また本発明は、前記透視部が前記指標部に対応するように間隔を空けて複数形成されることを特徴とする。これにより透視部の形成エリアを必要最小限に抑え、不要部が見えてしまうのを抑制することができる。
【発明の効果】
【００１０】
本発明によれば、初期の目的を達成でき、視認性を向上させることが可能な指針式計器を提供することができる。
【発明を実施するための最良の形態】
【００１１】
図１、図２は、本発明の一実施形態として、本発明による指針式計器を例えば自動車用の指針式計器に適用したもので、図１は指針式計器の正面図、図２は図１のＡ−Ａ断面図である。
【００１２】
図１，図２において、本実施形態による指針式計器は、回路基板１と、光源２と、駆動源３と、指針４と、表示板５と、被覆部材６とを備えている。
【００１３】
回路基板１は、周知な硬質配線基板からなり、図示しない回路パターンに光源２をはじめとする各種回路素子が実装されている。
【００１４】
光源２は、例えば発光ダイオードからなり、指針４と表示板５を照明できるよう回路基板１の表面に複数個配置されている。
【００１５】
駆動源３は、例えばステッピングモータからなり、計測量に応じて指針４を回転動作させる指針軸３１を備えている。
【００１６】
指針４は、指針軸３１に挿入連結され、駆動源３を通じて表示板５上を軸回り回転する透光性合成樹脂部材からなり、表示板５の裏面側（表示板５と回路基板１との間）に位置する第１の指針部４１と、表示板５の表面側に位置する第２の指針部４２と、これら第１，第２の指針部４１，４２を繋ぐ第３の指針部４３とを連続して有している
【００１７】
第１の指針部４１は、指針軸３１への挿入連結位置から指針軸３１の軸方向に対し交差する方向に伸びており、表示板５の後述する透視部に対応する、例えば赤色のホットスタンプ層からなる表示層４４が設けられている。この表示層４４は、前記透視部に直接対面しない第１の指針部４１の裏側に設けられている。また第１の指針部４１には、光源２に対応する第１の反射部４５が設けられている。
【００１８】
第２の指針部４２は、第３の指針部４３から指針軸３１側に伸び、後述する表示板５の指標部を指示する。この第２の指針部４２の裏面には、例えば赤色のホットスタンプ層からなる表示層４６が設けられている。
【００１９】
第３の指針部４３は、指針軸３１の軸方向に伸び、第１の指針部４１との接続部及び第２との接続部には、それぞれ第２，第３の反射部４７，４８が設けられている。
【００２０】
第２の反射部４７は、第１の指針部４３の長手方向において第１の反射部４５と対向し、第１の指針部４３を通じて導かれた光を指針軸３１の軸方向に反射する。
【００２１】
第３の反射部４８は、第２の反射部４７を通じて反射された光を第２の指針部４２に向けて反射し、これにより表示層４６が光輝して明るく視認される。
【００２２】
表示板５は、例えば透光性合成樹脂基板にスクリーン印刷を施すことで第２の指針部４２の指示対象となる目盛や文字からなる指標部５１（文字を省略し目盛のみ図示）と地部５２とを設けてなる。
【００２３】
第１の指針部４１の表示層４４の回転軌道上に対応する表示板５箇所には、透視部５３が複数形成されている。
【００２４】
この透視部５３は、貫通孔からなり、指標部４２に対応するように間隔を空けて複数設けられている。なお透視部５３は地部５２を抜き印刷する等して透明部として設けることもでき、この際、透明部に例えば地部５２と同色または任意色のスモーク（半透過）層を設けて、表示層４４が重なるときは、表示層４４の色で表示を行い、重ならないときはスモーク層の色で表示を行うようにすれば、表示層４４と重ならない透視部５３を通じて表示板５の内部が見えてしまうことを防止することができる。
【００２５】
以上のように、本実施形態では、駆動源３と、表示板５と、駆動源３を通じて表示板５上を軸回り回転する指針４と、を備え、指針４が表示板５の裏面側に位置する第１の指針部４１と、表示板５の表面側に位置する第２の指針部４２と、これら第１，第２の指針部４１，４２を繋ぐ第３の指針部４３とを有する指針式計器において、表示板５に第１の指針部４１（表示層４４）を透視可能な透視部５３を設けたことにより、第２の指針部４２に加えて透視部５３を通じて第１の指針部４１の一部が視認されるため、指針４の視認性を向上させることができる。
【００２６】
また本発明は、透視部５３が指標部５１に対応するように間隔を空けて複数形成されることにより、透視部５３の形成エリアを必要最小限に抑え、不要部が見えてしまうのを抑制することができる。
【００２７】
図３及び図４は、本発明の第２の実施形態を示すもので、図３は本実施形態による指針式計器の正面図、図４は図３のＢ−Ｂ断面図である。
【００２８】
本実施形態では、被覆部材６で覆われる第３の指針部４３の表面側を少なくとも含むと共に視線方向において表示層４６と重なるように表示層４４を設ける一方、被覆部材６に第３の指針部４３（表示層４４）を透視可能なスリット状の透視部６１を設けたものであり、その他の構造は前記第１の実施形態と同様である。なお本実施形態では指標部の図示を省略している。
【００２９】
このように構成することで、第２の指針部４２に加えて透視部６１を通じて第３の指針部４３（表示層４４）が視認されるため、指針４の視認性を向上させることができる。
【００３０】
なお本実施形態では、被覆部材６のみに透視部６１を設けたが、表示板５にも設けることで更に視認性を向上させることができる。
【００３１】
また透視部６１は第３の指針部４３（表示層４４）を視認することができれば、構造は任意である。
【００３２】
図５は本発明の第３の第３実施形態として前記第１の実施形態の変形例を示す断面図であり、本実施形態では第１の実施形態にて採用したコ字状の指針４に替えて、クランク形状の指針４を採用すると共に、表示板５を第１の指針部４１を覆う第１の表示板５０１と、隙間Ｓを介して第１の表示板５０１の外側に配置される第２の表示板５０２とに分割形成し、第１の表示板５０１に透視部５３を設けたものである。この場合、第１の表示板５０１には、透視部５３に対応する指標部を、第２の表示板５０２には、第２の指針部４２に対応した指標部を設けてもよい。
【００３３】
このように構成された本実施形態によっても前記第１の実施形態と同様に効果を期待できる。
【図面の簡単な説明】
【００３４】
【図１】本発明の第１の実施形態による指針式計器の正面図。
【図２】図１のＡ−Ａ断面図。
【図３】本発明の第２の実施形態による指針式計器の正面図。
【図４】図３のＢ−Ｂ断面図。
【図５】本発明３第２の実施形態による指針式計器の正面図。
【符号の説明】
【００３５】
１  回路基板
２  光源
３  駆動源
４  指針
５  表示板
６  被覆部材
３１  指針軸
４１  第１の指針部
４２  第２の指針部
４３  第３の指針部
４４,４６  表示層
４５  第１の反射部
４７  第２の反射部
４８  第３の反射部
５１    指標部
５２  地部
５３  透視部
５０１  第１の表示板
５０２  第２の表示板
Ｓ  隙間
【図１】
2010127614.tif 000003
【図２】
2010127614.tif 000004
【図３】
2010127614.tif 000005
【図４】
2010127614.tif 000006
【図５】
2010127614.tif 000007